(57)【特許請求の範囲】
【請求項１】
操作線材が軸線方向に進退自在に挿通されてその操作線材を進退操作するための操作部が基端部の外周側の領域に着脱自在に連結されたシースと、
上記操作線材の外径より大きな内径を有し、上記シースの基端部の内周側の領域の口元部分に上記操作線材を囲む状態に装着された弾力性のあるＯリングと、
軸線位置に上記操作線材が緩く挿通され、上記Ｏリングを軸線方向に押しつぶして上記操作線材に圧接させる状態と押しつぶさない状態とを選択自在に、上記シースの基端部に螺合して取り付けられたＯリング押圧部材と、
上記シースが上記操作部から取り外された状態において上記Ｏリング押圧部材の後端側に接続／離脱自在な送液管とを設け、
上記シースが上記操作部から取り外された状態のときに、上記Ｏリング押圧部材が上記Ｏリングを押しつぶさない状態にして上記Ｏリング押圧部材に上記送液管を取り付けることにより、上記シースと上記操作線材との間の隙間に上記送液管から液を流し込めるようにしたことを特徴とする内視鏡用処置具。
【発明の詳細な説明】
【０００１】
【発明の属する技術分野】
この発明は、シース内に操作線材が進退自在に挿通配置された内視鏡用処置具に関する。
【０００２】
【従来の技術】
内視鏡用処置具は一般に、内視鏡の処置具挿通チャンネルに挿脱されるシース内に操作ワイヤが進退自在に挿通されている。
【０００３】
そのような処置具が内視鏡の処置具挿通チャンネルに挿通されているとき、シースの内面と操作ワイヤとの間の隙間を介して、体腔内の圧力が漏れ出さないようにすることが望ましい。またその隙間内は、処置具を使用した後で洗浄することが望ましい。
【０００４】
図７は、そのようなことができるようにした従来の内視鏡用処置具を示しており、操作ワイヤ９１の基端部分には腰折れ防止のために外装パイプ９２が被嵌固着されている。
【０００５】
操作部に対して着脱自在に設けられたシース９３の基端口金９４には、注射器等を接続可能な注入筒９５が分岐突設され、外装パイプ９２の外周面に密接するシール用Ｏリング９６が、シース基端口金９４に装着されている。
【０００６】
このような構成により、処置具使用時には注入筒９５に栓９７を取り付けておけば、シース９３の内面と操作ワイヤ９１との間の隙間と外気との間がＯリング９６によって遮蔽されて漏れが防止され、使用後には栓９７を外して注入筒９５から洗浄液を注入すれば、シース９３の内面と操作ワイヤ９１との間の隙間を洗浄することができる。
【０００７】
【発明が解決しようとする課題】
しかし、注入筒９５が突設されたシース基端口金９４を製造するのに、単品切削によっていては大変なコストがかかり、モールド成形では金型が必要となるので、内視鏡用処置具において頻繁に行われるちょっとした改造等に大きなコストがかかってしまう。また、洗浄時に、シース基端口金９４とＯリング９６との間が洗浄できずに汚染されたままになってしまう欠点もある。
【０００８】
そこで本発明は、製造コストが低く、しかもシースの内面と操作ワイヤとの間の隙間を漏れなく洗浄することができる衛生的に優れた内視鏡用処置具を提供することを目的とする。
【０００９】
【課題を解決するための手段】
上記の目的を達成するため、本発明の内視鏡用処置具は、操作線材が軸線方向に進退自在に挿通されてその操作線材を進退操作するための操作部が基端部に着脱自在に連結されたシースと、上記操作線材の外径より大きな内径を有し、上記シースの基端部の口元部分に上記操作線材を囲む状態に装着された弾力性のあるＯリングと、軸線位置に上記操作線材が緩く挿通されて上記Ｏリングを軸線方向に押しつぶす状態と押しつぶさない状態を選択自在に上記シースの基端部に螺合して取り付けられたＯリング押圧部材と、上記シースが上記操作部から取り外された状態において上記Ｏリング押圧部材の後端側に接続／離脱自在な送液管とを設け、上記シースが上記操作部から取り外された状態のときに、上記Ｏリング押圧部材が上記Ｏリングを押しつぶさない状態にして上記Ｏリング押圧部材に上記送液管を取り付けることにより、上記シースと上記操作線材との間の隙間に上記送液管から液を流し込めるようにしたことを特徴とする。
【００１０】
【発明の実施の形態】
図面を参照して本発明の実施の形態を説明する。
図２は、内視鏡用処置具の一つである生検鉗子を示しており、内視鏡の処置具挿通チャンネルに挿脱される可撓性シース３の基端に操作部１０が着脱自在に連結されている。
【００１１】
そして、可撓性シース３内に軸線方向に進退自在に全長にわたって挿通配置されている操作ワイヤ１ａを操作部１０で進退操作することにより、可撓性シース３の先端に配置された鉗子カップ２を遠隔的に開閉させることができる。
【００１２】
図３は操作部１０を示しており、細長い棒状に形成された操作部本体１１の手元側端部には、操作者の手の親指を係合させるためのリング状指掛け１２が取り付けられ、人指し指と中指を係合させるための糸巻状指掛け１３が、操作部本体１１に沿ってスライド自在に取り付けられている。
【００１３】
操作部本体１１に軸線方向に細長く形成されたスリ割り１４内には、糸巻状指掛け１３に固定されて糸巻状指掛け１３と共に移動するワイヤ連結座１５が、軸線方向にスライド自在に配置されている。
【００１４】
１ｂは、可撓性シース３内に挿通配置されている操作ワイヤ１ａの基端に固着連結されて操作ワイヤ１ａと共に操作線材を構成する駆動ロッドであり、その基端部分が、ワイヤ連結座１５に差し込まれて手動ロックネジ１６で固定されている。したがって、手動ロックネジ１６を緩めることにより、駆動ロッド１ｂとワイヤ連結座１５との結合を任意に外すことができる。
【００１５】
操作部本体１１の先端部分に取り付けられたシース連結部材１７はプラスチック材によって形成されており、可撓性シース３の基端に取り付けられたシース基端口金３１の凹部３１１に係脱する係合片部１７１が内側位置に形成されている。
【００１６】
係合片部１７１の外側の位置に形成された突片部１７２は、その外周に軸線周りに回転自在に取り付けられたカム筒１８を回転させることにより、図４の（Ｂ）に示されるように内側に押されて係合片部１７１を凹部３１１に係合させ、それによりシース基端口金３１が操作部１０に連結されて外れない状態になる。
【００１７】
そして、カム筒１８を元に戻せば、図４の（Ａ）に示されるように係合片部１７１が自己の弾性によって凹部３１１から外れた状態に戻り、シース基端口金３１を操作部１０から取り外せる状態になる。
【００１８】
図５は、操作部１０から取り外された状態の可撓性シース３の基端部分を示している。
シース基端口金３１の軸線位置には駆動ロッド１ｂが緩く挿通される貫通孔が穿設されており、シース基端口金３１の先端部分に可撓性シース３が連結されている。
【００１９】
４は、可撓性シース３がシース基端口金３１との連結部付近で急激に曲げられて座屈するのを防止するための折れ止めチューブである。操作ワイヤ１ａと駆動ロッド１ｂとはシース基端口金３１の内側部分で連結されている。
【００２０】
可撓性シース３は、ステンレス鋼線を一定の径で密着巻きして形成された密巻きコイルパイプ３ａの外周に、熱収縮チューブ３ｂを全長にわたって水密に密着被覆して構成されている。
【００２１】
駆動ロッド１ｂが突出するシース基端口金３１の外端面の口元部分には、弾力性のあるゴム材（例えばシリコンゴム）からなるＯリング３４が、駆動ロッド１ｂを囲む状態に装着されている。
【００２２】
このＯリング３４は、図６に拡大して示されるように、自然状態では駆動ロッド１ｂの外径より大きな内径を有し、外方に拡がらないようにシース基端口金３１の端面に形成された溝３１２内に配置されている。ただし、その溝３１２はＯリング３４の側面がシース基端口金３１の端面から出っ張る程度に浅く形成されている。
【００２３】
３２は、Ｏリング３４を軸線方向に押しつぶすためのＯリング押圧ネジであり、シース基端口金３１の突端部の外周面に形成された雄ネジ部と螺合する雌ネジ筒３２ａと接合されて一体の部品になっている。
【００２４】
したがって、Ｏリング押圧ネジ３２を回転させることにより、図５に示されるように、Ｏリング押圧ネジ３２の先端面でＯリング３４が押しつぶされた状態にすることができ、Ｏリング３４は内方に膨らむことになる。
【００２５】
その結果、Ｏリング３４が駆動ロッド１ｂの外周面に圧接され、その部分がシールされるので、その状態で処置具を内視鏡の処置具挿通チャンネルに挿通して使用すれば、可撓性シース３と操作線材（即ち、操作ワイヤ１ａと駆動ロッド１ｂ）との間の隙間から体腔内の圧力が漏れるのを防止することができる。また、Ｏリング押圧ネジ３２でＯリング３４のつぶし量を調整することにより、操作力量をある程度任意に調整することができる。
【００２６】
Ｏリング押圧ネジ３２の外面は滑らかな円周面状に形成されている。したがって、この処置具を使用した後、可撓性シース３から操作部１０を取り外した状態にしてから、図１に示されるようにＯリング押圧ネジ３２に可撓性の送液チューブ５０の一端を接続することができる。また、接続された送液チューブ５０はＯリング押圧ネジ３２から取り外すことができる。
【００２７】
送液チューブ５０の他端側には注射筒１００が取り付けられており、注射筒１００から送液チューブ５０へ洗浄液等を押し出すと、その洗浄液は駆動ロッド１ｂの外周面とＯリング押圧ネジ３２との間の隙間へ送り込まれる。
【００２８】
したがって、Ｏリング３４を押しつぶさない状態にＯリング押圧ネジ３２をセットしておけば、Ｏリング３４と駆動ロッド１ｂの外周面との間に隙間があるので、洗浄液はシース基端口金３１内から可撓性シース３内へ送られて可撓性シース３の先端から送り出される。
【００２９】
その結果、操作ワイヤ１ａと可撓性シース３との間の隙間を含め、操作線材１ａ，１ｂが通っている部分を全長にわたって容易に洗浄することができる。また、Ｏリング３４はＯリング押圧ネジ３２を緩めることにより自由に着脱交換することができる。
【００３０】
なお、本発明は上記実施の形態に限定されるものではなく、例えば本発明は生検鉗子以外の各種の内視鏡用処置具に適用することができる。
【００３１】
【発明の効果】
本発明によれば、Ｏリング押圧部材がＯリングを押しつぶさない状態にしてＯリング押圧部材に送液管を取り付け、シースと操作線材との間の隙間に送液管から洗浄液を流し込むことにより、操作線材が通っている部分を全長にわたって容易に洗浄することができ、しかも構造が簡単で製造コストがかからない。
【図面の簡単な説明】
【図１】本発明の実施の形態の内視鏡用処置具の使用後の洗浄状態にあるシースの基端部分の側面断面図である。
【図２】本発明の実施の形態の内視鏡用処置具の全体構成を示す側面図である。
【図３】本発明の実施の形態の内視鏡用処置具の操作部の側面断面図である。
【図４】本発明の実施の形態の図３におけるIV−IV断面図である。
【図５】本発明の実施の形態の内視鏡用処置具のシースの基端部分の側面断面図である。
【図６】本発明の実施の形態の内視鏡用処置具のシースの基端部分の側面拡大断面図である。
【図７】従来の内視鏡用処置具のシースの基端部分の側面断面図である。
【符号の説明】
１ａ  操作ワイヤ（操作線材）
１ｂ  駆動ロッド（操作線材）
３  可撓性シース
３ａ  密巻きコイルパイプ
３ｂ  熱収縮チューブ
１０  操作部
３１  シース基端口金
３２  Ｏリング押圧ネジ（Ｏリング押圧部材）
３４  Ｏリング
５０  送液チューブ
１００  注射筒
【図１】
0004223603.tif 000002
【図２】
0004223603.tif 000003
【図３】
0004223603.tif 000004
【図４】
0004223603.tif 000005
【図５】
0004223603.tif 000006
【図６】
0004223603.tif 000007
【図７】
0004223603.tif 000008